【手続補正書】
【提出日】平成29年5月24日(2017.5.24)
【手続補正１】
【補正対象書類名】特許請求の範囲
【補正対象項目名】全文
【補正方法】変更
【補正の内容】
【特許請求の範囲】
【請求項１】
フィルタカートリッジであって、
（ａ）開放されたフィルタ内部空間を取り囲むフィルタ媒体を備え、
（ｉ）前記フィルタ媒体は第１の端部及び第２の端部を有し、
（ｂ）前記フィルタ媒体の前記第１の端部に配置された第１の端部材を備え、
（ｉ）前記第１の端部材は、貫通する流れ開口部を有し、
（ｃ）前記フィルタ媒体の前記第２の端部に配置された第２の端部材を備え、
（ｄ）前記フィルタ媒体の前記第１の端部は、前記第１の端部材に隣接する位置で第１の媒体外周部を規定し、
（ｅ）前記フィルタ媒体の前記第２の端部は、前記第２の端部材に隣接する位置で第２の媒体外周部を規定し、
（ｉ）前記第１の媒体外周部及び前記第２の媒体外周部は、互いに関して偏心的に位置合わせされ、
（ｆ）前記第１の端部材は、第１のハウジングシール部材を含み、
（ｉ）前記第１のハウジングシール部材は半径方向に向いたシール部材であることを特徴とするフィルタカートリッジ。
【請求項２】
（ａ）前記第２の端部材は、前記フィルタ媒体の前記第２の端部から前記フィルタ媒体の前記第１の端部に向かって前記開放されたフィルタ内部空間の中へ、前記フィルタ媒体の前記第２の端部から前記フィルタ媒体の前記第１の端部までの距離の少なくとも１０％に相当する距離だけ延出する受け入れ突起を含み、
（ｉ）前記受け入れ突起は、前記開放されたフィルタ内部空間とは反対の側に受け入れ凹部を規定することを特徴とする請求項１に記載のフィルタカートリッジ。
【請求項３】
（ａ）前記第２の端部材の前記受け入れ突起は、前記フィルタ媒体の延設方向に対して垂直な平面において非円形の断面形状を有する部分を有することを特徴とする請求項２に記載のフィルタカートリッジ。
【請求項４】
（ａ）前記第２の端部材は、第２の抵抗型ハウジング係合部材を備える第２のハウジング係合部材を含むことを特徴とする請求項１から３のいずれか１項に記載のフィルタカートリッジ。
【請求項５】
（ａ）前記第２の端部材は、半径方向内側へ突出する半径方向位置合わせ突起構成を有する凹部を含むことを特徴とする請求項１から４のいずれか１項に記載のフィルタカートリッジ。
【請求項６】
（ａ）前記第２の端部材は、前記開放されたフィルタ内部空間及び前記第１の端部材から離間する方向に突出する中央軸方向突起を有する外面部分を含むことを特徴とする請求項１から５のいずれか１項に記載のフィルタカートリッジ。
【請求項７】
（ａ）前記第１のハウジングシール部材は、少なくとも３つの突出部を含む非円形構成を有するシール面を規定し、前記少なくとも３つの突出部は、前記シール面により取り囲まれる中心軸の周囲方向に、前記シール面で前記中心軸に対して複数の離間した半径方向に向いた突出部を規定するために少なくとも３つの凹部と交互に配置されることを特徴とする請求項１から６のいずれか１項に記載のフィルタカートリッジ。
【請求項８】
（ａ）前記第１の端部材は第１の端部材外周部を有し、
（ｂ）前記第２の端部材は第２の端部材外周部を有し、
（ｉ）前記第１の端部材外周部及び前記第２の端部材外周部は、互いに関して偏心的に位置合わせされることを特徴とする請求項１から７のいずれか１項に記載のフィルタカートリッジ。
【請求項９】
（ａ）前記第１の端部材は、半径方向に向いたハウジングシール面を有し、
（ｂ）前記第２の端部材は、半径方向に向いた抵抗型ハウジング係合部材を有し、
（ｉ）前記半径方向に向いたハウジングシール面及び前記半径方向に向いた抵抗型ハウジング係合部材は、互いに関して偏心的に位置合わせされることを特徴とする請求項１から８のいずれか１項に記載のフィルタカートリッジ。
【請求項１０】
エアクリーナアセンブリであって、
（ａ）少なくとも１つのアクセスカバー、空気流れ入口及び空気流れ出口を有するハウジングと、
（ｂ）前記ハウジングの中に配置され且つ前記ハウジングに解放可能に密封された請求項１から９のいずれか１項に記載のフィルタカートリッジと
を備えることを特徴とするエアクリーナアセンブリ。
【手続補正２】
【補正対象書類名】明細書
【補正対象項目名】発明の名称
【補正方法】変更
【補正の内容】
【発明の名称】フィルタカートリッジ及びエアクリーナアセンブリ
【手続補正３】
【補正対象書類名】明細書
【補正対象項目名】０００７
【補正方法】変更
【補正の内容】
【０００７】
【図１】図１は、本開示による特徴を含むフィルタカートリッジの例を示す概略斜視図である。
【図２】図２は、図１に示されるカートリッジの概略側面図である。
【図３】図３は、図１及び図２に示されるフィルタカートリッジの選択された概略横断面図である。
【図４】図４は、図１〜図３に示されるフィルタカートリッジの概略上部平面図である。
【図５】図５は、図１〜図４に示されるフィルタカートリッジの概略底部平面である。
【図６】図６は、図３のフィルタカートリッジの識別された部分を示す概略拡大部分横断面図である。
【図７】図７は、図１のフィルタカートリッジのアセンブリで使用可能なライナ部材又はライナ要素を示す概略斜視図である。
【図８】図８は、図７のライナ部材又はライナ要素の変形バージョンを示す第２の概略斜視図である。
【図９】図９は、図８のライナ部材又はライナ要素を示す概略閉鎖端部図である。
【図１０】図１０は、図１のフィルタカートリッジを使用可能なエアクリーナアセンブリを示す概略側面図である。
【図１１】図１１は、図１０のエアクリーナアセンブリの第２の概略側面図である。
【図１２】図１２は、図１０のエアクリーナアセンブリの第３の概略側面図である。
【図１３】図１３は、図１０〜図１２のエアクリーナアセンブリの概略出口端部図である。
【図１４】図１４は、図１０〜図１３のエアクリーナアセンブリの概略出口端部斜視図である。
【図１５】図１５は、図１０〜図１４のエアクリーナアセンブリの概略底部平面図である。
【図１６】図１６は、エアクリーナアセンブリの一部と密封係合している図１〜図３によるフィルタカートリッジの一部を示す概略部分横断面図である。
【図１７】図１７は、ハウジングの一部と密封係合している図１〜図３によるフィルタカートリッジの第２の部分を示す概略部分横断面図である。
【図１８】図１８は、フィルタカートリッジ及びエアクリーナアセンブリの更なる部分を示す図１７に類似する概略部分横断面図である。
【図１９】図１９は、本明細書による周囲突起位置合わせを示す第１の概略図である。
【図２０】図２０は、本明細書による周囲突起位置合わせを示す第２の概略図である。
【図２１】図２１は、本明細書による周囲突起位置合わせを示す第３の概略図である。
【図２２】図２２は、本明細書による周囲突起位置合わせを示す第４の概略図である。
【図２３】図２３は、本明細書による周囲突起位置合わせを示す第５の概略図である。
【図２４】図２４は、本開示によるカートリッジと共に使用可能な別のハウジング端部キャップ周囲部を示す概略図である。
【図２５】図２５は、本開示によるカートリッジと共に使用可能な別のシール周囲部規定を示す概略図である。
【図２６】図２６は、アセンブリの中のオプションの二次フィルタカートリッジ又はセーフティカートリッジの位置決めを示す図１６に類似する概略部分横断面図である。
【図２７】図２６は、アセンブリの中のオプションの二次フィルタカートリッジ又はセーフティカートリッジの別の位置決めを示す図２６に類似する概略部分横断面図である。
【図２８】図２８は、図２９〜図５４に従ったアセンブリの中のセーフティフィルタカートリッジの位置決めを示す概略横断面図である。
【図２９】図２９は、本開示によるエアクリーナアセンブリで使用可能なエアクリーナハウジング本体を示す概略側面図である。
【図３０】図３０は、図２９のハウジング本体を示す概略展開斜視図である。
【図３１】図３１は、ハウジング本体（図２９及び図３０による）及びアクセスカバーを有し、内部にフィルタカートリッジを含むエアクリーナアセンブリを示す概略横断面図である。
【図３２】図３２は、図３１のアセンブリを示す第２の概略横断面図である。
【図３３】図３３は、図３１及び図３２のエアクリーナアセンブリで使用可能なハウジング本体の一部を示す概略斜視図である。
【図３４】図３４は、図３３のハウジング本体部分を示す概略側面図である。
【図３５】図３５は、図３３〜図３４のハウジング本体部分を示す概略上部平面図である。
【図３６】図３６は、図３５の線３６−３６に沿った図３５のハウジング本体部分を示す概略横断面図である。
【図３７】図３７は、図３５の線３７−３７に沿った図３５のハウジング本体部分を示す概略横断面図である。
【図３８】図３８は、図３５の線３８−３８に沿った図３５の本体部分の突起部材の一部を示す拡大部分概略横断面図である。
【図３９】図３９は、図３１〜図３２のエアクリーナアセンブリを提供するために図２９〜図３０の本体部分に固定可能なアクセスカバーを示す概略上部斜視図である。
【図４０】図４０は、図３９のアクセスカバーを示す概略底部斜視図である。
【図４１】図４１は、図３９〜図４０のアクセスカバーを示す概略上部平面図である。
【図４２】図４２は、図３９〜図４０のアクセスカバーを示す概略底部平面図である。
【図４３】図４３は、図４１の線４３−４３に沿った図３９〜図４０のアクセスカバーを示す概略横断面図である。
【図４４】図４４は、図４１の線４４−４４に沿った図３９〜図４０のアクセスカバーを示す第２の概略横断面図である。
【図４５】図４５は、図３１及び図３２のエアクリーナアセンブリに取り付け可能なフィルタカートリッジを示す概略側面図である。
【図４６】図４６は、図４５のカートリッジを示す概略底部平面図である。
【図４７】図４７は、図４６の線４７−４７にほぼ沿った図４５のカートリッジを示す概略横断面図である。
【図４８】図４８は、図４５のカートリッジを示す概略上部平面図である。
【図４８Ａ】図４８Ａは、図４８の線４８Ａ−４８Ａに沿った図４８のカートリッジを示す概略横断面図である。
【図４９】図４９は、図４５のカートリッジを形成するときに使用可能なライナ支持体又はライナ要素を示す概略斜視図である。
【図５０】図５０は、図４９のライナ要素を示す概略上面端平面図である。
【図５１】図５１は、図４９〜図５０のライナ要素を示す概略側面図である。
【図５２】図５２は、図４９〜図５０のライナ要素を示す第２の概略側面図である。
【図５３】図５３は、図５０の線５３−５３にほぼ沿った概略横断面図である。
【図５４】図５４は、図２９及び図３０に従ったハウジング本体に図４７に従ったカートリッジを誤って挿入しようとする過程を示す概略図である。
【図５５】図５５は、更に取り付けようとしたことにより起こりうる結果を示す図５４に類似する概略横断面図である。
【図５６】図５６は、更に誤って挿入したことにより起こりうる結果を示す図５４及び図５５に類似する概略横断面図である。
【図５７】図５７は、本開示の原理に従った別のカートリッジを示す概略開放端部斜視図である。
【図５７Ａ】図５７Ａは、図５７のフィルタカートリッジを示す第１の概略横断面図である。
【図５７Ｂ】図５７Ｂは、図５７Ａの図に対してほぼ直角に見た場合の図５７のカートリッジを示す第２の概略横断面図である。
【図５７Ｃ】図５７Ｃは、図５７のフィルタカートリッジの構成要素を示す概略斜視図である。
【図５８】図５８は、図５７のフィルタカートリッジを示す別の概略開放端部斜視図である。
【図５９】図５９は、図５７のフィルタカートリッジを示す概略上面図である。
【図６０】図６０は、図５７のフィルタカートリッジを示す概略底面図である。
【図６０Ａ】図６０Ａは、図５７のフィルタカートリッジの底面図の第２の概略底面図である。
【図６１】図６１は、図５７〜図６０Ａのフィルタカートリッジで使用可能な偏心的構成の一例を示す概略投影図である。
【図６２】図６２は、図５７〜図６０に従ったフィルタカートリッジを含むエアクリーナアセンブリを示す概略側面図である。
【図６３】図６３は、図６２の図とは反対の側から図６２のエアクリーナアセンブリを示す第２の概略側面図である。
【図６４】図６４は、図６２の左側又は図６３の右側に向かって見た場合の図６２及び図６３のエアクリーナアセンブリを示す第３の概略側面図である。
【図６５】図６５は、図６２〜図６４のエアクリーナアセンブリを示す概略底面図である。
【図６６】図６６は、アクセスカバーを取り外し、内部に受け入れられたカートリッジの開放端部に向かって見た場合の図６２〜図６５のエアクリーナアセンブリを示す概略斜視図である。
【図６７】図６７は、図６２〜図６５のエアクリーナアセンブリを形成するために図６６のアセンブリに取り付け可能なアクセスカバーを示す第１の概略内側斜視図である。
【図６８】図６８は、図６７のアクセスカバーを示す第２の概略内側斜視図である。
【図６９】図６９は、図６２〜図６５のアセンブリのハウジング閉鎖端部構成要素を示す概略内側斜視図である。
【図７０】図７０は、図６９のハウジング閉鎖端部構成要素を示す別の概略内側斜視図である。
【図７１】図７１は、図６９及び図７０のハウジング閉鎖端部構成要素を示す概略底面図である。
【図７２】図７２は、図６２〜図６５のエアクリーナアセンブリを示す第１の概略横断面図である。
【図７３】図７３は、図７１の横断面図に対して直角に見た場合の図６２〜図６５のエアクリーナアセンブリを示す第２の概略横断面図である。
【図７４】図７４は、図６９に従ったハウジング閉鎖端部構成要素と位置合わせされている図５７のカートリッジを示す概略図である。
【図７５】図７５は、図７２の一部を示す拡大部分横断面図である。
【図７６】図７６は、図５７に従ったフィルタカートリッジと位置合わせされている図６に従ったハウジングアクセスカバーを示す概略斜視図である。
【図７７】図７７は、本開示に従った代替特徴を有するハウジング底部と整列するように挿入された状態で示される、本開示の付加的実施形態に従った選択された代替閉鎖端部キャップ特徴を有するフィルタカートリッジを示す拡大展開部分斜視図である。
【図７７Ａ】図７７Ａは、図７７のカートリッジの突起要素に向かって見た場合の拡大部分概略図である。
【図７７Ｂ】図７７Ｂは、図７７に従ったハウジング底部の選択された受け入れ部材を示す拡大部分概略図である。
【図７８】図７８は、別の実施形態に従った特定の突起／受け入れ部材の別の逆の位置決めを示す図７７に類似する部分斜視図である。
【図７９】図７９は、先に示された構成のうち選択された構成に対する特定の代替特徴を含むエアクリーナアセンブリを示す概略側面図である。
【図８０】図８０は、断面で内部の詳細を示すためにいくつかの部分を破断して示す、図７９の図の左側から見た場合の図７９に示されるアセンブリの第２の概略側面図である。
【図８１】図８１は、図７９及び図８０のアセンブリを示す概略上部平面図である。
【図８２】図８２は、図７９〜図８１のアセンブリを示す概略展開図である。
【図８３】図８３は、本開示の選択された特徴を具現化した付加的なフィルタカートリッジを示す概略斜視図である。
【図８４】図８４は、図８３のカートリッジを示す概略開放端部平面図である。
【図８５】図８５は、図８３のカートリッジを示す概略閉鎖端部平面図である。
【図８６】図８６は、図８３のカートリッジを示す第１の概略側面図である。
【図８７】図８７は、図８３のカートリッジを示す第２の概略側面図である。
【図８８】図８８は、内部の詳細を示すためにいくつかの部分を破断して示す、本開示の選択された原理に従ったフィルタカートリッジを含むエアクリーナアセンブリで使用するための別のハウジングの概略斜視図である。
【図８９】図８９は、アクセスカバーを取り外し、フィルタカートリッジを取り付けた状態で示される図８８のハウジングの概略横断面図である。
【図９０】図９０は、内部の詳細を示すためにいくつかの部分を破断して示す、カートリッジ及びアクセスカバーが所定の位置にある状態の図８８のアセンブリの概略斜視横断面図である。
【図９０Ａ】図９０Ａは、図８８〜図９０のアセンブリのアクセスカバーを示す概略端側斜視図である。
【図９０Ｂ】図９０に示された部品間の係合を示す図である。
【図９１】図９１は、内部の詳細を示すためにいくつかの部分を破断して示す、図９０のアセンブリの第２の概略斜視横断面図である。
【図９２】図９２は、図８８〜図９１のアセンブリのハウジングの下部分を示す概略斜視図である。
【図９２Ａ】図９２Ａは、図９２の識別された部分を示す拡大部分図である。
【図９３】図９３は、図８８〜図９１のアセンブリのフィルタカートリッジ部分を示す概略横断面上部斜視図である。
【図９４】図９４は、図８８〜図９１のアセンブリに関して図９２のハウジング部分と関連して取り付けられた状態で示される図９３のフィルタカートリッジ部分の概略上部斜視横断面図である。
【図９５】図９５は、下部分における図９４のアセンブリ部分を示す第２の概略上部斜視横断面図である。
【図９６】図９６は、図８９〜図９１のアセンブリに関してハウジング底部にある突起の端部分を示す概略拡大部分上面図である。
【図９７】図９７は、図８８〜図９１に従ったアセンブリの下部分を示す概略部分横断面図である。
【図９８】図９８は、図９７の部分を示す概略拡大部分図である。
【図９９】図９９は、図９７の部分を示す別の第２の概略拡大部分図である。
【図１００】図１００は、図９０のアセンブリに示されるフィルタカートリッジを示す概略底部斜視図である。
【図１００Ａ】図１００Ａは、図１００のフィルタカートリッジの予成形支持体構成要素を示す概略上部斜視図である。
【図１００Ｂ】図１００Ｂは、図１００Ａの予成形支持体構成要素を示す概略横断面図である。
【図１０１】図１０１は、ハウジング構成要素と関連して示される図８３に従ったフィルタカートリッジの概略斜視図である。
【図１０２】図１０２は、第１の代替ハウジング構成要素と関連する図８３に従ったフィルタカートリッジを示す概略斜視図である。
【図１０３】図１０３は、第２の代替ハウジング構成要素と関連して示される図８３に従ったフィルタカートリッジを示す概略斜視図である。
【図１０４】図１０４は、第３の代替ハウジング構成要素と関連する図８３に従ったフィルタカートリッジを示す概略斜視図である。
【図１０５】図１０５は、第４の代替ハウジング構成要素と関連する図８２に従ったフィルタカートリッジを示す概略斜視図である。